(57)【要約】【課題】  容易且つ確実に透孔に固定することができる透孔カバーの提供。【解決手段】  コンクリート体１に形成された透孔４の表側開口部を覆うカバー本体６と、カバー本体６を固定するための取付用具とを備え、取付用具は、カバー本体６と一体化された受け部材１０と、受け部材１０に回転自在に支持され、透孔内に突出した締め付けボルト１１と、締め付けボルト１１に螺合されるナット部１２を有する基板部１７、下側が拡開した八字状に配置された一対の弾性片部１８，１８及び弾性片部１８の先端部外側縁より斜め上向きに突出した係合片部１９を一体に有する係止部材１３とを備え、係止片部１９が透孔４の裏側開口部より突出した位置より、締め付けボルト１１を回転させることにより、係止部材１３を受け部材側に移動させ、係止片部１９，１９を透孔４の裏面側開口縁部に係止させるようにした透孔カバー。【選択図】  図２
2005336950.tif 000002
【特許請求の範囲】
【請求項１】
コンクリート体に形成された透孔の表側開口部を覆うカバー本体と、該カバー本体を固定するための取付用具とを備えた透孔カバーにおいて、
前記取付用具は、前記カバー本体と一体化された受け部材と、
該受け部材に回転自在に支持され、前記透孔内に突出した締め付けボルトと、
該締め付けボルトに螺合されるナット部を有する基板部、該基板部の両側縁より連続し、下側が拡開した八字状に配置された一対の弾性片部及び該弾性片部の先端部外側縁より斜め上向きに突出した係合片部を一体に有する係止部材とを備え、
前記係止片部が前記透孔の裏側開口部より突出した位置より、前記締め付けボルトを回転させることにより、前記係止部材を受け部材側に移動させ、前記係止片部を前記透孔の裏面側開口縁部に係止させるようにしたことを特徴としてなる透孔カバー。
【請求項２】
透孔の形状を、表側が広いテーパ状とした請求項１又は２に記載の透孔カバー。
【発明の詳細な説明】
【技術分野】
【０００１】
本発明は、主に側溝を構成するコンクリート体に形成された透孔を被覆する透孔カバーに関する。
【背景技術】
【０００２】
一般的に、道路の側溝を構成するコンクリート版或いは中空函状のコンクリートブロック体等のコンクリート体の上面には透孔が形成され、雨天等により発生した水がこの透孔より側溝内に流れ込み排水できるようになっている。
【０００３】
しかし、透孔の縁部は、コンクリートが打ちさらしの状態にあるので、開口縁部が欠損し易く、透孔の開口縁部が欠損することによって、透孔の孔幅が広がってしまったり、見栄えが悪くなったりするという問題があり、また、ハイヒールのかかと部分や車椅子の車輪が嵌ってしまい転倒する等の危険性があるという問題があった。
【０００４】
そこで、従来では、透孔の開口部を覆う透孔カバーを使用し、透孔を保護するとともに車椅子の脱輪やハイヒールの踵部分が嵌り込むのを防止して安全性を高めるようにしており、この透孔カバーは、取付用具によって透孔に対して固定されるようになっている（例えば、特許文献１を参照）。
【特許文献１】特開平１０−１３１２７３号公報
【発明の開示】
【発明が解決しようとする課題】
【０００５】
しかし、上述の如き従来の技術では、取付用具が透孔カバーの裏面側に配置されるので、透孔に対し取り付け難いという問題があり、また、取付用具による固定が不十分であると、容易に透水孔カバーが外れてしまい、危険であるという問題があった。
【０００６】
そこで本発明は、上述の従来技術の問題を鑑み、容易且つ確実に透孔に固定することができる透孔カバーの提供を目的とする。
【課題を解決するための手段】
【０００７】
上述の如き従来の問題を解決し、所期の目的を達成するための請求項１に記載の発明は、コンクリート体に形成された透孔の表側開口部を覆うカバー本体と、該カバー本体を固定するための取付用具とを備えた透孔カバーにおいて、
前記取付用具は、前記カバー本体と一体化された受け部材と、
該受け部材に回転自在に支持され、前記透孔内に突出した締め付けボルトと、
該締め付けボルトに螺合されるナット部を有する基板部、該基板部の両側縁より連続し、下側が拡開した八字状に配置された一対の弾性片部及び該弾性片部の先端部外側縁より斜め上向きに突出した係合片部を一体に有する係止部材とを備え、
前記係止片部が前記透孔の裏側開口部より突出した位置より、前記締め付けボルトを回転させることにより、前記係止部材を受け部材側に移動させ、前記係止片部を前記透孔の裏面側開口縁部に係止させるようにした透孔カバーであることを特徴とする。
【０００８】
請求項２に記載の発明は、請求項１の構成に加え、透孔の形状を、表側が広いテーパ状としたことを特徴とする。
【発明の効果】
【０００９】
本発明に係る透孔カバーは、コンクリート体に形成された透孔の表側開口部を覆うカバー本体と、該カバー本体を固定するための取付用具とを備えた透孔カバーにおいて、
前記取付用具は、前記カバー本体と一体化された受け部材と、
該受け部材に回転自在に支持され、前記透孔内に突出した締め付けボルトと、
該締め付けボルトに螺合されるナット部を有する基板部、該基板部の両側縁より連続し、下側が拡開した八字状に配置された一対の弾性片部及び該弾性片部の先端部外側縁より斜め上向きに突出した係合片部を一体に有する係止部材とを備え、
前記係止片部が前記透孔の裏側開口部より突出した位置より、前記締め付けボルトを回転させることにより、前記係止部材を受け部材側に移動させ、前記係止片部を前記透孔の裏面側開口縁部に係止させるようにしたことによって、取付作業がカバー本体の表側から行うことができるので容易に取り付けることができ、また、係止片部が弾性的に透孔の裏側開口縁部に係止されることによって透孔に対し確実に固定することができる。
【００１０】
透孔の形状を、表側が広いテーパ状としたことによって、透孔に取り付ける際に、係止部材が挿入し易く、挿入後は係止片部が好適に裏側開口部縁に係止されるようになる。
【発明を実施するための最良の形態】
【００１１】
次に、本発明に係る取付用具について説明する。
【００１２】
図１、図２は、透水孔カバーの取り付け状態を示し、図中符号１は側溝を構成するコンクリート体、符号２は透孔カバーである。
【００１３】
コンクリート体１は、直方体状に形成され、その中央長手方向に貫通して円形状の流水路３が形成されている。
【００１４】
このコンクリート体１の上面部には、内部の流水路３と連通した細長状の透孔４，４が間隔を隔てて形成され、その透孔４の上面開口縁部周縁には、透孔カバー２が嵌り込む取付凹部５が形成されている。
【００１５】
また、透孔４は、表側が広いテーパ状、即ち透孔４の両内側面が裏側に向うに従って互いに近づくように傾斜して形成されている。
【００１６】
透孔カバー２は、図３、図４に示すように、カバー本体６と、カバー本体６を透孔４に取り付けるための取付用具とを備え、取付用具を透孔４内に挿入して係止させることにより透孔４に対し取り付けられるようになっている。
【００１７】
カバー本体６は、両側縁より下向きに突出した側板７，７を備えたコ字状断面が連続した形状に、透孔４の開口部、即ち取付凹部５の形状に合わせて形成されている。
【００１８】
カバー本体６の表面部には、透孔４の機能を確保するための複数の導水孔８，８…が間隔を隔てて形成されるとともに、その長手方向両端部には、後述する締め付けボルトの頭部端面が露出するボルト露出窓９，９が形成されている。
【００１９】
取付用具は、カバー本体６と一体化された受け部材１０と、受け部材１０に回転自在に支持された締め付けボルト１１と、締め付けボルト１１に螺合されたナット部１２が一体化された係止部材１３とをもって構成されている。
【００２０】
受け部材１０は、両側縁より側板１４，１４を立ち上げた断面コ字状に金属製板材を折曲加工することにより形成され、中央部には、締め付けボルト１１が挿通されるボルト挿通孔１５が形成されている。
【００２１】
この受け部材１０は、ボルト挿通孔１５とボルト露出窓９の中心軸が一致するように両側板７，１４同士を溶接して固定することにより、カバー本体６の長手方向端部に一体化されている。
【００２２】
締め付けボルト１１は、ネジ部がボルト挿通孔１５を通して受け部材１０の下側、即ちカバー本体６とは反対側に突出され、頭部１６がボルト挿通孔１５の開口縁部に支持され、受け部材１０に対し、回転自在に支持されるようになっている。
【００２３】
係止部材１３は、平板状の基板部１７と、基板部１７の両側縁より連続した一対の弾性片部１８，１８と、弾性片部１８の先端部外側縁より斜め上向きに突出した係止片部１９とが一体に形成されている。
【００２４】
基板部１７は、その中央部分に締め付けボルト１１と螺合するナット部１２を一体に有するとともに、その長手方向長さが透孔４の幅より長く形成され、透孔４に対して回転不能になり、締め付けボルト１１を回転させると、締め付けボルト１１に沿って移動するようになっている。
【００２５】
両弾性片部１８，１８は、基板部１８の側縁より連続し、下側が拡開した八字状に配置されるように形成され、基板部１８との境界部分を基端として弾性変形するようになっている。
【００２６】
係止片部１９は、弾性片部１８との境界部分を基端として弾性変形するようになっている。
【００２７】
次に、この透孔カバー２の取付方法について説明する。
【００２８】
まず、係止部材１３に対して締め付けボルト１１を相対的に回転させ、係止部材１３の位置を締め付けボルト１１の先端側に移動させておく。
【００２９】
次に、両弾性片部１８，１８を先端部が互いに近づく方向に撓ませて取付用具を透孔４に導入し、弾性片部１８，１８が係止片部１９を介して透孔４の内壁面に押圧されて弾性変形しながら、係止部材１３の先端側部分、即ち弾性片部１８，１８の一部及び係止片部１９，１９が透孔４の裏側開口部よりコンクリート体内部に突出するまで挿入するとともに、カバー本体６を取付凹部５に嵌め込む。
【００３０】
係止片部１９，１９が透孔４の裏側開口部より突出する位置まで挿入すると、両弾性片部１８，１８は、透孔４の内縁に弾性的に当接し、係止片部１９，１９は、弾性片部１８に対して弾性により元の位置に復元して外向きに突出する。
【００３１】
そして、カバー本体６のボルト露出窓９より締め付けボルト頭部１６の六角孔に六角レンチを挿入し、所定の方向に回転させることにより、基板部１７が透孔４に対し回転不能に規制されているため、基板部１７は受け部材側に移動し、更に回転させると、係止片部１９，１９が透孔４の裏側開口縁部に弾性的に接触し係止される。
【００３２】
これによってカバー本体６と係止片部１９，１９との間に透孔４の周囲の肉厚部を挟持され、透孔カバー２が透孔４に対して固定される。
【００３３】
尚、上述の実施例では、ナット部を基板部と一体に形成した例について説明したが、ナット部を一般的な六角ナットをもって構成し、その六角ナットを基板部と溶接等によって一体化させるようにしてもよい。
【００３４】
また、上述の実施例では、カバー本体と受け部材とを別個に構成し、それを一体化させた例について説明したが、カバー本体の一部を受け部材としてもよい。
【図面の簡単な説明】
【００３５】
【図１】本発明に係る透孔カバーの取付状態を示す斜視図である。
【図２】同上の透孔カバーの取付状態を示す断面図である。
【図３】（ａ）は図１中の透孔カバーを示す平面図、（ｂ）は同正面図である。
【図４】同上の透孔カバーを示す断面図である。
【符号の説明】
【００３６】
１  コンクリート体
２  透孔カバー
３  流水路
４  透孔
５  取付凹部
６  カバー本体
７  側板
８  導水孔
９  ボルト露出窓
１０  受け部材
１１  締め付けボルト
１２  ナット部
１３  係止部材
１４  側板
１５  ボルト挿通孔
１６  頭部
１７  基板部
１８  弾性片部
１９  係止片部
【図１】
2005336950.tif 000003
【図２】
2005336950.tif 000004
【図３】
2005336950.tif 000005
【図４】
2005336950.tif 000006